(57)【特許請求の範囲】
【請求項１】
モバイルワイヤレス主局および複数のワイヤレス従局を備えたネットワークにおいて、前記複数の従局の１つを介して前記主局からリモート局にデータを送信する通信方法であって、前記主局によって実施される前記方法は、
少なくとも２つの従局を前記主局に関連付けるために少なくとも２つの従局の存在をポーリングするポーリングステップと、
前記主局による、前記関連付けられた従局のうちの第１の従局を選択する第１の選択ステップと、
前記関連付けられた従局への第１のメッセージの送信ステップであって、前記第１のメッセージは前記関連付けられた従局に前記第１の従局の選択を通知する、第１のメッセージの送信ステップと、
前記リモート局に向けられたデータパケットを第１のキューに入れるステップであって、前記第１のキューは前記第１の従局に関連付けられている、ステップと、
前記第１のキュー内に存在する少なくとも１つのデータパケットの第１の送信ステップであって、前記第１の送信は前記主局から前記第１の従局に対して行われる、第１の送信ステップと、
前記主局による、前記関連付けられた従局のうちの第２の従局を選択する第２の選択ステップと、
前記関連付けられた従局への第２のメッセージの送信ステップであって、前記第２のメッセージは前記関連付けられた従局に前記第２の従局の選択を通知する、第２のメッセージの送信ステップと、
前記リモート局に向けられたデータパケットを第２のキューに入れるステップであって、前記第２のキューは前記第２の従局に関連付けられている、ステップと、
前記第２のキュー内に存在する少なくとも１つのデータパケットの第２の送信ステップであって、前記第２の送信は前記主局から前記第２の従局に対して行われ、前記第１の送信は前記第１のキューが空でない限り続く、第２の送信ステップと、
を含む、前記方法。
【請求項２】
所定の基準に従った選択のために従局を選ぶステップを含む、請求項１に記載の方法。
【請求項３】
前記主局によって送信されて少なくとも１つの従局によって受信される無線フレームの受信品質を表す情報のアイテムを、前記主局によって受信する受信ステップと、
受信した前記情報を比較する比較ステップと、
従局を選択する選択ステップであって、該選択される従局は最も良い受信品質に対応する、選択ステップと、
を含む、請求項１または２に記載の方法。
【請求項４】
少なくとも１つの従局によって送信されて前記主局によって受信される無線フレームの受信品質を表す情報のアイテムを、前記主局によって判断する判断ステップと、
受信した前記情報を比較する比較ステップと、
従局を選択する選択ステップであって、該選択される従局は最も良い受信品質に対応する、選択ステップと、
を含む、請求項１または２に記載の方法。
【請求項５】
前記データパケットは、ＭＡＣレベルのデータパケットであり、ＩＰプロトコルに準拠する、請求項１から４のいずれかに記載の方法。
【請求項６】
前記主局から送信されたデータパケットは、前記複数の従局にブロードキャストされる、請求項１から５のいずれか１つに記載の方法。
【発明の詳細な説明】
【技術分野】
【０００１】
本発明は、ワイヤレス通信の分野に関し、特に、２つの中継局を介した１つの移動局と複数の移動局との間の信頼性のあるデータ交換に関する。
【背景技術】
【０００２】
従来技術によると、幾つかのネットワークアーキテクチャが知られている。これらネットワークアーキテクチャの一部は、集中型アーキテクチャに基づいている。したがって、Ｗｉ−Ｆｉシステム（ＩＥＥＥ８０２．１１ａ規格に基づく）は、競合チャネルアクセスによる非集中型のタスクシーケンスアーキテクチャ（またはスケジューリングアーキテクチャ）を有している。このようなアーキテクチャでは、一部のアプリケーションについて十分なサービスの品質（すなわちＱｏＳ：Quality of Service）を効率的に管理することはできない。Ｗｉｍａｘシステム（ＩＥＥＥ８０２．１６規格に基づく）は、集中型スケジューリングアーキテクチャを有しており、該集中型スケジューリングアーキテクチャにより、あるアプリケーションについてより適切なサービスの品質の実装（パケットの最大送信時間（典型的には５ｍｓ）、および各接続要求に対して保証された帯域幅）が可能となる。
【０００３】
言うまでもなく、Ｗｉｍａｘネットワークにおいて実装される技術では、サービスの品質を全てのアプリケーションについて保証することができるわけではなく、例えば、ビデオタイプの通信などについては、データは、ノイズのある無線周波数環境において動き回るワイヤレスカメラによって受信されるので、障害物によって干渉を受けるか妨害され、その結果、信号のロスが生じるかエコーを生成してしまう。よって、ワイヤレス局との通信は、突然切断される（例えば、移動局が動き回るとき）。したがって、ワイヤレスリンクのサポートまたは範囲を保証することができず、局またはその環境が動くときに受信の問題を生じることがある。
【発明の概要】
【発明が解決しようとする課題】
【０００４】
セルネットワークにおいて、セル内の基地局と通信する移動局が使用される。携帯電話が、あるセルから別のセルに動くと、移動局はハンドオーバ処理によって別の基地局とアソシエーションする（associate）。公知の技術の欠点は、一部のアプリケーション（特に、非常に大きいビットレートを有するリアルタイムのアプリケーション、例えば、固定ノードへのモバイルカメラのビデオデータの送信）を中断することなく通信を維持するのに適していないことである。
【課題を解決するための手段】
【０００５】
本発明の目的は、従来技術のこの欠点を解消することである。
【０００６】
より具体的には、本発明の目的は、保証されたサービス品質で、リモートノードに向けたデータまたは該リモートノードから来るデータの、少なくとも１つの移動ワイヤレス局による送信および／または受信を可能にすることであり、より詳しくは、通常の使用条件下において通信を切断することなく（すなわち、送信されるパケットのロスなく）データの送信および／または受信を可能にすることである。
【０００７】
本発明は、ワイヤレス主局および複数のワイヤレス従局を備えたネットワークにおいて、データを複数の従局の１つを介して主局から受信局に送信する通信方法に関する。本方法は主局によって実施される。サービスの品質を保証するために、上記方法は、
第１の従局を選択する第１の選択ステップと、
リモート局に向けられたデータパケットを、第１の従局に関連付けられた第１のキューに入れるステップと、
第１のキュー内に存在する少なくとも１つのデータパケットを主局から第１の従局に送信する、第１の送信ステップと、
第２の従局を選択する第２の選択ステップと、
リモート局に向けられたデータパケットを、第２の従局に関連付けられた第２のキューに入れるステップと、
第２のキュー内に存在する少なくとも１つのデータパケットを主局から第２の従局に送信するステップであって、上記第１の送信ステップは第１のキューが空でない限り、続けられる、第２の送信ステップと
を含む。
【０００８】
主局は、従局の選択を決定する局として定義され、この選択される従局は、主局に向けられるデータパケットまたは主局から来るデータパケットの送信に関して優先される。
【０００９】
有利には、本方法は、所定の基準に従って選択するための従局を選択するステップを含む。
【００１０】
特定の特徴によれば、本方法は、
主局によって送信されて少なくとも１つの従局によって受信される無線フレームの受信品質（reception quality）を表す情報のアイテムを、主局によって受信する受信ステップと、
受信した情報を比較する比較ステップと、
最も良い受信品質に相当する従局を選択する選択ステップと
を含む。
【００１１】
別の特徴によれば、本方法は、
少なくとも１つの従局によって送信されて主局によって受信される無線フレームの受信品質を表す情報のアイテムを、主局によって判断する判断ステップと、
受信した情報を比較する比較ステップと、
最も良い受信品質に相当する従局を選択する選択ステップと
を含む。
【００１２】
特定の特徴によれば、データパケットは、ＭＡＣレベルのパケットであり、ＩＰプロトコル（インターネットプロトコル）に準拠している。
【００１３】
実際、本発明は、ＩＰパケットの重複（duplication）を避けること、および異なる局（本発明では従局と呼ぶ）により重複して中継されるＩＰパケットをルーティングするという問題を避けることによって、データパケットの送受信を可能にする。
【００１４】
従局側から見ると、本発明は、ワイヤレス主局と複数のワイヤレス従局を備えたネットワークにおける通信方法に関する。本方法において、データは、従局を介して第１の局から受信局に送信される。本方法は、現在の局（current station）と称される上記複数の従局の１つによって実施される。本発明によれば、上記方法は、
現在の局を検出する検出ステップと、
主局に向けられたデータパケットを受信する受信ステップと、
受信したパケットを主局に送信する送信ステップと
を含む。
【００１５】
有利には、上記方法は、
現在の局とは異なる従局の選択を表す情報のアイテムを受信する受信ステップと、
主局に向けられたデータパケットを受信する受信ステップと、
上記受信したパケットを、現在の局が主局に送信せずに消去する、消去ステップと
を含む。
【００１６】
添付の図面を参照して説明される以下の説明を読むと、本発明をより良く理解でき、他の特有の特徴および利点が明らかとなるであろう。
【図面の簡単な説明】
【００１７】
【図１】本発明を実装する要素を有する通信ネットワークアーキテクチャの例を示す図である。
【図２】本発明の特定の実施形態にかかる、図１のネットワークに属するモバイルワイヤレス主局を示す図である。
【図３】本発明の特定の実施形態にかかる、図１のネットワークに属する中継従局を示す図である。
【図４】本発明の特定の諸実施形態にかかる、図２の主局において使用される方法を示す図である。
【図５】図１のネットワークの要素間のデータパケット交換を示す図である。
【図６】図１のネットワークの要素間のデータパケット交換を示す図である。
【図７】図１のネットワークの要素間のデータパケット交換を示す図である。
【図８】図１のネットワークの要素間のフレーム交換に使用される通信プロトコルの例を示す図である。
【図９】図１のネットワークの要素間のフレーム交換に使用される通信プロトコルの例を示す図である。
【発明を実施するための形態】
【００１８】
図１は、ワイヤレスネットワーク１および有線Ｅｔｈｅｒｎｅｔ（登録商標）ネットワーク（またはＩＥＥＥ８０２．３）１５を含む通信ネットワークを図示している。
【００１９】
ワイヤレスネットワーク１は、１つまたは複数の第１のワイヤレス主局（ＭＳ）を備え、該１つまたは複数の第１のワイヤレス主局（ＭＳ）は固定、または有利には移動式である。主局（ＭＳ）は、例えばＭＳ局１０である。幾つかのＭＳ局がある場合、該幾つかのＭＳ局は、異なる物理チャネル（例えば、周波数チャネルまたはＣＤＭＡ（Code Division Multiple Access）、ＴＤＭＡ（Time Division Multiple Access））を使用する。
【００２０】
Ｅｔｈｅｒｎｅｔ（登録商標）ネットワーク１５は、ノード１４を含み、該ノード１４は、ＭＳ１０から、またはＭＳ１０に送信されるデータパケット（またはＳＤＵ）のソースまたは送信先である。
【００２１】
主局１０は、中継従局（relay slave station）または加入者局（subscriber station）ＳＳ１の１１、ＳＳ２の１２、およびＳＳ３の１３（第２のワイヤレスネットワーク局）を介して、ノード１４に向けられたデータ（例えば、イメージ）またはノード１４から来るデータ（例えば、制御データ）を送受信することができる（上記ＳＳは「従局（Slave Station）」を表し、ＲＳは「リモート局（Remote Station）」を表す）。加入者局１１−１３は、ワイヤレスネットワーク１とＥｔｈｅｒｎｅｔ（登録商標）ネットワークとの間のインターフェイスを提供することができる。したがって、局ＳＳ１１（１２、１３）は、それぞれ双方向ワイヤレスリンク１１０（１２０、１３０）を介して局ＭＳ１０に接続される。ネットワークアーキテクチャ１では、ネットワーク１は、１つの主局または複数の主局が見つけられる可能性のある全ての領域をカバーするのに十分な従局を備えている。したがって、常に、ネットワーク１の各主局は、ワイヤレス通信を提供することができるワイヤレスリンクによって、少なくとも１つの従局に接続されている。従局１１−１３は、スイッチ１６を介してＥｔｈｅｒｎｅｔ（登録商標）リンク（または、データの送受信が可能な任意の他のネットワーク）によって、ノード１４に接続される。別の実施形態によると、これらの従局は、ネットワークリンク（あるいは、任意の他のタイプの有線または無線リンク）を介して互いに接続される。したがって、例えば、主局１０が従局ＳＳ１の１１に接続されている場合、該主局１０は、ノード１４によって送信されるデータを、Ｅｔｈｅｒｎｅｔ（登録商標）ネットワーク１５およびワイヤレスリンク１１０を介して受信することができる。別の実施形態によると、ノード１４は、従局１１−１３に直接接続される。
【００２２】
１つの主局または複数の主局は、例えば、ワイヤレス通信手段を備えたモバイルカメラであり、ノード１４は、画像処理システム（例えば、ビデオレコーダ、スタジオエントリポイント（studio entry point）など）である。したがって、図１のネットワークによって、処理システムによる、建物の内部または外部に置かれたカメラへの連続した（すなわち、中断のない）制御データの送信が可能になるため、同じように通常の地理的領域（nondescript geographic zone）に任意のイベント（例えば、スポーツイベントまたはショー）を再送信することができる。主局は、オーディオビジュアルデータをキャプチャするのに適したデバイス（例えば、カメラ）を認識することができ、あるいは、主局は、データパケット受信システム内のこのようなデバイスに関連付けられることができるため、主局は、該デバイスから受信したパケットを送信する。これらのパケットは、例えば、デバイスからの制御情報を含む。
【００２３】
有利には、複数の従局が同じ無線周波数チャネルを共有するので、無線スペクトル（radio spectrum）は、効率よく利用されるソースである。複数の加入者局が、無線チャネルにおいて相互に互いの通信内容を聞く（listen）ことができる可能性がある。別の実施形態によれば、複数の加入者局は、無線チャネルにおいて相互に互いの通信内容を聞くことはできない。
【００２４】
有利には、図１のネットワークのノード間に使用される通信は、ＩＰタイプ（インターネットプロトコル）であり、ＳＳ、ＢＳおよびノード１４はそれぞれ、ＩＰアドレスを有している。ＩＰは、ストリーミングモードでフロー（flow）を送信するのに使用され、例えば、ビデオおよび／またはオーディオを一方向モードまたは双方向モードで送信するために使用される。
【００２５】
ワイヤレスリンク１１０、１２０、１３０の各々は、上り接続（toward connection）（対応するＳＳからＭＳステーションへの接続）および下り接続（downward connection）（ＭＳから対応するＳＳへの接続）に関連付けられる。データパケットの送信中に、接続識別子（connection identifier）により、関連するＳＳを識別することができる。
【００２６】
図２は、ネットワーク１の主移動局２を図示しており、主移動局２はＭＳ１０に対応する。
【００２７】
主局２は、
マイクロプロセッサ２１（またはＣＰＵ）と、
ＲＯＭメモリ（リードオンリメモリ）２２と、
ＲＡＭメモリ（ランダムアクセスメモリ）２３と、
ワイヤレスリンクにおける信号の送信モジュール２５と、
ワイヤレスリンクにおける信号の受信モジュール２６と、
アプリケーションへのインターフェイス２７と
を備え、これらはアドレスおよびデータバス２４によって互いに接続され、クロック信号を送信する。
【００２８】
メモリ２２および２３の説明において使用される用語「レジスタ」は、言及されるメモリのそれぞれにおける、低容量（幾つかのバイナリデータ）メモリ領域および大容量（全てのプログラムを格納することができるか、受信したオーディオ／ビデオサービスを表すデータの全てまたは一部を記憶することができる）メモリ領域を示す。
【００２９】
アプリケーションは、例えばビデオタイプあり、該アプリケーションは、主局２（主局２は、例えば、カメラ、またはカメラに関連する無線システム）によって送受信されるデータの、それぞれソースと送信先を構成する。
【００３０】
ＲＯＭメモリ２２は、特に「ｐｒｏｇ」プログラム２２０を含んでいる。
【００３１】
本発明に特有であり以下で説明される方法のステップを実行するアルゴリズムは、これらステップを実行する移動局２に関連付けられたＲＯＭ２２メモリに格納される。電源を入れると、マイクロプロセッサ２１が、これらアルゴリズムの命令をロードして実行する。
【００３２】
ＲＡＭ２３は、特に、
レジスタ２３０内に、移動局２のスイッチを入れることを担うマイクロプロセッサ２１のオペレーティングプログラムと、
レジスタ２３１内に、データ、あるいはこのデータを含んでいるレベル２またはＭＡＣ（「Medium Access Control」）のデータパケットに対応するＰＤＵ（「Packet Data Unit」）と、
レジスタ２３２内に、幾つかのＰＤＵを含むことができるＳＤＵタイプ（「Service Data Unit」、ＭＡＣレベルのデータパケットであり、ＩＰプロトコルに準拠する）のデータパケットと、
レジスタ２３３内に、ＳＳ１１からＳＳ１３の各々に関連付けられたパラメータ、特に、ＭＡＣレベルのアドレス（または従局の識別子を意味するＳＳＩＤ（Slave Station Identifier））およびＭＳに関連付けられたパラメータと、
レジスタ２３４内に、１つまたは複数の接続識別子、すなわちＣＩＤと、
レジスタ２３５内に、移動局２のＩＰアドレスと、
レジスタ２３６内に、選択された従局の識別子と、
レジスタ２３７内に、データパケットが交換される、前に選択された従局の識別子（および、選択された従局によって置き換えられた従局の識別子）と
を含む。
【００３３】
図３は、ネットワーク１の従局３を図示しており、従局３はＳＳ１、ＳＳ２、またはＳＳ３に対応する。
【００３４】
従局３は、
マイクロプロセッサ３１（またはＣＰＵ）と、
ＲＯＭメモリ（リードオンリメモリ）３２と、
ＲＡＭメモリ（ランダムアクセスメモリ）３３と、
ワイヤレスリンクにおける信号の送信モジュール３５と、
ワイヤレスリンクにおける信号の受信モジュール３６と、
Ｅｔｈｅｒｎｅｔ（登録商標）ネットワークへのインターフェイス３７と
を備え、これらは、アドレスおよびデータバス３４によって互いに接続されており、クロック信号を送信する。
【００３５】
メモリ３２および３３の説明において使用される用語「レジスタ」は、言及されるメモリのそれぞれにおける、低容量（幾つかのバイナリデータ）メモリ領域および大容量（全てのプログラムを格納することができるか、受信したオーディオ／ビデオサービスを表すデータの全てまたは一部を記憶することができる）メモリ領域を示す。
【００３６】
ＲＯＭメモリ３２は、特に「ｐｒｏｇ」プログラム３２０を含んでいる。
【００３７】
本発明に特有であり以下で説明される方法のステップを実行するアルゴリズムは、これらステップを実行する加入者局３に関連付けられたＲＯＭ３２メモリに格納される。電源を入れると、マイクロプロセッサ３１が、これらアルゴリズムの命令をロードして実行する。
【００３８】
ＲＡＭ３３は、特に、
レジスタ３３０内に、加入者局３のスイッチを入れることを担うマイクロプロセッサ３１のオペレーティングプログラムと、
レジスタ３３１内に、データ、またはこのデータを含むＰＤＵと、
レジスタ３３２内に、幾つかのＰＤＵを含むことができるＳＤＵタイプのデータパケットと、
レジスタ３３３内に、局３（または、関連する主局）と通信することができる１つまたは複数の主局のＭＡＣアドレスおよびＩＰアドレスと、
レジスタ３３４内に、接続識別子、すなわちＣＩＤと、
レジスタ３３５内に、局３の状態（局が選択されているか、選択されていないか）と
を含む。
【００３９】
図４は、本発明の特定の実装にかかる主局２において使用される方法を示している。
【００４０】
この方法は、初期設定段階４０で始まり、この初期設定段階４０の間に、局２の異なるパラメータが更新される。
【００４１】
次いで、ステップ４１の間に、局２は、各ＳＳステーションによって送信された信号の受信能力（reception power）を測定する。別の実施形態によると、局２は、これらの信号の受信品質（この品質は、例えば、信号とノイズの比、および／またはフレームもしくはビット誤り率によって特徴付けられる）を測定する。
【００４２】
次に、ステップ４２の間に、局２は、能力レベル（power level）が十分である（例えば、能力レベルが所定の閾値以上である場合）ＳＳ局とアソシエーションする。別の実施形態によると、局２は、受信品質が十分であるＳＳ局とアソシエーションする。
【００４３】
次いで、ステップ４３の間に、局２は、所定の基準（例えば、通信の品質が、上り方向（ＳＳによって送信された無線フレームの主局による受信品質）および／または下り方向（主局によって送信された無線フレームのＳＳによる受信品質）において最も良い局、または最も大きな容量を有する局）に従って、ＳＳ局を選択する。選択されたこのＳＳ局はＳＳｅと記される。その後、ＳＳｅと局２との間の接続がオープンされる。
【００４４】
次に（例えば、所定の時間の後、または任意のイベント（特に、ＳＳｅとの通信、有利には各無線フレームの送信における品質のロス）の間）、ステップ４５の間に、主局は、選択された局の変更（またはハンドオーバ）が、必要であるか（または可能であるか）どうかをチェックする（最後の測定の時期が所定の値より前である場合、または最後の測定の結果が古い（obsolete）場合は、ステップ４１の測定と同様の新たな測定を行うことによってチェックする）。
【００４５】
ステップ４５がＮｏの場合、選択された局の変更は必要ではないので、ステップ４１１の間に、主局２は、選択された局ＳＳｅにデータ、特に、該局２が受信したＳＤＵから１つまたは複数のＰＤＵを送信する。ＳＤＵは、１つまたは複数のＰＤＵを含み、選択された局へのデータの送信はＰＤＵ毎に行われる。デバイス（局２に含まれるか、または局２に関連付けられたデバイス）から来るＳＤＵを受信すると、主局は、該１つまたは複数のＳＤＵを、選択された局ＳＳｅに関連付けられた送信キューに置く。
【００４６】
ステップ４５がＹｅｓの場合、ステップ４６の間に、主局は、所定の基準（ステップ４３で使用された基準と同じであっても、異なっていてもよい）に従って、別の従局を選択する。選択されたこの別の従局はＳＳｅ’と記される。その後、ＳＳｅ’と局２の間の接続がオープンされる。
【００４７】
次いで、テスト４７の間に、主局は、選択された局ＳＳｅに関連付けられた送信キューが空であるかどうかをチェックする。
【００４８】
テスト４７がＮｏの場合、ステップ４８の間に、主局は、ＳＳｅに関連付けられた送信キュー内に存在するＰＤＵをＳＳｅに送信し、ＳＳｅ’に関連付けられた送信キューに存在するＰＤＵをＳＳｅ’に送信する。したがって、ＳＳへのＰＤＵの送信は、選択されたＳＳのハンドオーバの間は中断されることなく維持されており、ＳＳｅへの送信キューは徐々に消去される一方で、新たに選択された局ＳＳｅ’への送信が始まる。このように、従来技術とは異なり、データのビットレートが非常に大きい場合であっても、データの送信のための局ハンドオーバ処置は、データ送信を中断することなく行われる。これは、送信の中断の影響を受けやすいアプリケーション（例えば、主局２による、有線ネットワークの送信先への高ビットレートのデータ送信およびリアルタイムのビデオタイプのデータ送信）にとって、特に有利である。次に、テスト４７について再び述べる。
【００４９】
テスト４７がＹｅｓの場合、ＳＳｅの送信キューは空であり、ステップ４１２の間に、主局は、ＳＳｅ’にデータ（ＳＳｅ’の送信キューに存在するＰＤＵ）を送信する。
【００５０】
次いで、ステップ４９の間に、主局は、前に選択された局ＳＳｅとの接続を終了し、ＳＳｅ’のみが、選択された局ＳＳｅとなる。
【００５１】
ステップ４１１またはステップ４９のいずれかに続くステップ４１０の間に、ステップ４１の測定と同様の能力測定が行われ、テスト４５が繰り返される。
【００５２】
従局側から見ると、本発明によると、従局が実施する通信方法は、
従局が、選択を表す情報であって主局によって送信された情報を受信することによって、自身が選択されると見なして選択を行う選択ステップと、
主局に向けられ、例えば、ノード１４によって送信されたデータパケットであって、「ブロードキャスト」タイプまたは「ユニキャスト」タイプとすることができるデータパケットを受信する受信ステップと、
受信したパケットを主局に送信する送信ステップと
を含む。
【００５３】
従局が、別の従局の選択を表す情報のアイテムを、主局から直接受信するか、その選択された従局を介して受信すると、該従局が、受信したデータパケットであって主局に向けられたデータパケットを消去し、受信したデータパケットは、選択されていない局によって主局に送信されないことになる。
【００５４】
図５は、時間ｔの間において、ＳＳ１およびＳＳ２と記された２つのＳＳに主局２がＰＤＵを送信するシナリオを図示しており、これらのＰＤＵを含むＳＤＵはノード１４に向けられている。下り方向の接続部は、ＳＳ１およびＳＳ２について、それぞれＣＩＤ１０およびＣＩＤ２０であるとする。
【００５５】
時間ｔ０の前においては、局ＳＳ１が唯一の選択された局であり、接続部ＣＩＤ１０がオープンであると想定する。ｔ０において、ＳＳ１が、４つのＰＤＵ５１０−５１３からなるＳＤＵに属するＰＤＵ５１０を送信すると想定する。
【００５６】
したがって、ｔ０およびその後のｔ１において、主局は、それぞれＰＤＵ５１０および５１１を、接続部ＣＩＤ１０を介して送信する。
【００５７】
ｔ１の後に、主局は、ＳＳ２を選択して接続部ＣＩＤをオープンし、その後、ＰＤＵ５２２−５２４からなる別のＳＤＵを受信すると想定する。主局は次いで、これらのＰＤＵを、ＳＳ２に関連付けられた送信キューに置く。ｔ２において、主局は、ＳＳ１に関連付けられた送信キューの消去を開始し、接続部ＣＩＤ１０においてＰＤＵ５１２を局ＳＳ１へ送信し、接続部ＣＩＤ２０においてＰＤＵ５２２を送信することによってＳＳ２への送信を開始する。ｔ３において、主局は、ＳＳ１に関連付けられた送信キューの消去を終了し、接続部ＣＩＤ１０においてＰＤＵ５１３を局ＳＳ１へ送信し、接続部ＣＩＤ２０においてＰＤＵ５２３を送信することによってＳＳ２への送信を続ける。ｔ４において、主局は、接続部ＣＩＤ１０をクローズし、接続部ＣＩＤ２０においてＰＤＵ５２４を送信することによってＳＳ２への送信を続ける。
【００５８】
図６は、時間ｔの間において、ポイントツーポイントタイプの（ユニキャストタイプの送信先アドレスを有する）ＳＳ１およびＳＳ２が、主局２にＰＤＵを送信するシナリオを図示するものであり、これらＰＤＵを含むＳＤＵは、ノード１４に向けられる。上り方向の接続は、ＳＳ１およびＳＳ２についてそれぞれＣＩＤ１１およびＣＩＤ２１であるとする。さらに、前提条件などは図５と同じである。
【００５９】
このシナリオによると、ＳＳ１またはＳＳ２のいずれかを介してノード１４から主局２にＳＤＵをルーティングするのは、スイッチ１６である。このルーティングは、トラフィック分析に基づいた学習により行われる。したがって、スイッチ１６が、ＳＳ１を介して主局２からノード１４へのユニキャストタイプのＳＤＵを受信している限り、該スイッチ１６は、ＳＳ１を介してこれらＳＤＵを上り方向にルーティングする。ＳＳ１を介した下り方向の送信が終了したとき（その後、送信はＳＳ２を介して行われる）、またはこの終了の後の所定時間の後に、スイッチ１６は、ＳＳ２を介してユニキャストタイプのＳＤＵを上り方向にルーティングする。
【００６０】
したがって、説明のために、ＳＳ１によって最後のＰＤＵ５１３をノード１４へ送信するのはｔ３の後であり、スイッチ１６は、時間ｔ５の後に、ＳＤＵのルーティングをＳＳ１からＳＳ２に変更する。
【００６１】
ｔ２の前に、スイッチ１６が、２つのＰＤＵ６１０および６１１からなる第１のＳＤＵを受信し、次いでｔ４の前にＰＤＵ６１２を含むＳＤＵを受信し、その後ｔ５の前にＰＤＵ６１３を含むＳＤＵを受信する場合、該スイッチ１６は、３つのＳＤＵをＳＳ１にルーティングする。ＳＳ１は、ｔ２、ｔ３、ｔ４、ｔ５において、接続部ＣＩＤ１１に到着した順で、各ＰＤＵ６１０−６１３を主局２に送信する。
【００６２】
ＳＳ２を選択している間、主局は、上り方向の接続部ＣＩＤ２１をオープンする。
【００６３】
その後、ｔ６から、スイッチ１６は、ＰＤＵ６２４からなるＳＤＵを受信し、該スイッチ１６は、このＳＤＵをＳＳ２にルーティングする。その後、ＳＳ２は、接続部ＣＩＤ２１を介してＰＤＵ６２４を主局に送信する。主局が、ＰＤＵをＳＳ１から受信できなくなると（例えば、ＳＳ１により送信された最後のＰＤＵを受信した後の所定の時間後、ＳＳ２の選択の後、またはＳＳ１から送信キューが空であることを示すメッセージを受信した後）、主局は、対応する接続部ＣＩＤ１１をクローズする。
【００６４】
図７は、時間ｔの間において、ブロードキャストタイプ（ブロードキャストタイプの送信先アドレスを有する）ＳＳ１およびＳＳ２が、主局２にＰＤＵを送信するシナリオを図示しており、これらＰＤＵを含むＳＤＵはノード１４に向けられている。上り方向の接続部は、ＳＳ１およびＳＳ２についてそれぞれＣＩＤ１１およびＣＩＤ２１であるとする。さらに、前提条件などは図５および図６と同じである。
【００６５】
このシナリオによると、スイッチ１６は、ノード１４から来た主局２へのブロードキャストタイプのＳＤＵを、フィルタリングせずに、全てＳＳ局にルーティングする。ＳＳ局は、ブロードキャストタイプのＳＤＵをフィルタリングするＳＳ局である。したがって、最後に選択された局だけが、主局にブロードキャストタイプのＳＤＵを送信する。選択された局が別の局によって置き換えられるとすぐに、該選択された局は、ブロードキャストタイプのＳＤＵを、主局に送るための自身の送信キューに置くことを止め、新しく選択された局が、このタイプのＳＤＵを、主局に送るための自身の送信キューに置くことを開始する。
【００６６】
したがって、説明のために、ＳＳ１およびＳＳ２が、ｔ２の前にＳＳ２の選択を通知されると、ブロードキャストタイプの１つまたは複数のＳＤＵに対応するＰＤＵ７１０と７１１は、ＳＳ１によって接続部ＣＩＤ１１を介して主局に送信される。
【００６７】
ｔ２の後にＳＳ１およびＳＳ２によって受信され、ＰＤＵ７２２−７２４を含むブロードキャストタイプのＳＤＵは、ＳＳ２の送信キューに置かれ、接続部ＣＩＤ２１を介して主局に送信される。
【００６８】
要約すると、各ＳＳは以下の動作を行う。当該動作は、
ＳＳがブロードキャストタイプのＳＤＵを受信し、当該ＳＳが最後に選択された局である場合、当該ＳＳが、当該ブロードキャストタイプのＳＤＵを自身の送信キューに置き、上り接続において、対応する１つまたは複数のＰＤＵを主局へ送信することと、
ＳＳがブロードキャストタイプＳＤＵを受信し、当該ＳＳが最後に選択された局でない場合、当該ＳＳは、受信したＳＤＵを送信せずに、当該受信したＳＤＵを捨てることと、
ＳＳが主局にアドレスされたユニキャストタイプのＳＤＵを受信した場合、当該ＳＳは、当該ユニキャストタイプのＳＤＵを自身の送信キューに置き、上り接続において、対応する１つまたは複数のＰＤＵを主局へ送信することと、
である。
【００６９】
図８は、主局１０と、従局１１および１２（それぞれＳＳ１、ＳＳ２と記されている）と、送信先とされるノード１４との間の通信の例を図示している（これらの要素は縦の線によって表されており、アクション、イベント、および／または連続的な送信は、時間順に図示されている）。この例の理解を容易にするために、２つの加入者局１１および１２のみが示されている。この例には、任意の数の主局および加入者局を追加することができる。
【００７０】
主局は、ＳＳ１およびＳＳ２にそれぞれ送信されるユニキャストメッセージ８０１および８０２を用いて、各従局の存在をポーリングする。このメッセージを受信する各ＳＳは、肯定応答（acknowledgment）メッセージ８０２および８０４で、このメッセージに肯定応答する。主局が肯定応答を受信すると、上り方向および下り方向の通信は、ＳＳ１とＳＳ２、およびＳＳ１とＳＳ２に関連する主局によって可能になる。
【００７１】
主局は、次いでステップ８０５の間に、局ＳＳ１を選択する（例えば、肯定応答８０２もしくは８０４の受信の間に行われる測定に基づくこと、および／またはメッセージ８０１と８０３の送信の間に各ＳＳによって行われる測定結果を含んでいる情報に基づくことによって、局ＳＳ１を選択する）。
【００７２】
主局は、次いで、ＳＳ１が選択されたことを示す専用メッセージ（dedicated message）をＳＳ１に送信する。ＳＳ２もこのメッセージを受信し、この情報を記録することができる。
【００７３】
次に、ステップ８１０の間に、主局は、２つのＰＤＵ、すなわちＰＤＵ１１とＰＤＵ１２を含むＳＤＵ（ＳＤＵ１と記される）を受信する。主局は、ＳＳ１に関連付けられたキューにこれらのＰＤＵを置く。
【００７４】
その後、主局は、メッセージ８１１でＰＤＵ１１をＳＳ１に送信し、対応する肯定応答８１２を受信する。
【００７５】
次に、主局はメッセージ８１３でＰＤＵ１２をＳＳ１に送信し、対応する肯定応答８１４を受信する。
【００７６】
ＳＳ１が全てのＰＤＵをＳＤＵ１から受信すると、当該ＳＳ１は、メッセージ８１５でＳＤＵ１を送信先ノード１４に送信する。
【００７７】
次に、ステップ８２０の間に、主局は、２つのＰＤＵ、すなわちＰＤＵ２１とＰＤＵ２２を含むＳＤＵ（ＳＤＵ２と記される）を受信する。当該主局は、ＳＳ１に関連付けられたキューにこれらのＰＤＵを置く。
【００７８】
その後、主局は、メッセージ８２１でＰＤＵ２１をＳＳ１に送信し、対応する肯定応答８２２を受信する。
【００７９】
主局は、次いで、ＳＳ２にアドレスされたユニキャストメッセージ８３０の手段によって、ＳＳ２の受信の品質をポーリングする。このメッセージを受信するＳＳ２は、受信品質の十分なレベルを保証する肯定応答メッセージによって、このメッセージに肯定応答する。別の実施形態によると、ＳＳ２から主局に送信されるこのメッセージまたは専用メッセージは、（例えば、メッセージ８３０の受信に基づいた）受信品質を表す情報のアイテムを含んでいる。
【００８０】
主局は、次いでステップ８３２において、任意の基準（例えば、受信品質がＳＳ１よりもＳＳ２の方が良い）に従ってＳＳ２を選択する。
【００８１】
主局は、次いで、ＳＳ２が選択されたことをＳＳ２に知らせる専用メッセージ８３３を送信する。
【００８２】
次に、ステップ８３０の間に、主局は、２つのＰＤＵ、すなわちＰＤＵ３１とＰＤＵ３２を含むＳＤＵ（ＳＤＵ３と記される）を受信する。当該主局は、新しく選択されたＳＳ２に関連付けられたキューにこれらのＰＤＵを置く。
【００８３】
その後、主局は、メッセージ８４１でＰＤＵ３１をＳＳ２に送信し、対応する肯定応答８４２を受信する。
【００８４】
その後、主局は、メッセージ８２３でＰＤＵ２２（ＳＳ１に関連付けられたキューにまだ存在している）をＳＳ１に送信し、対応する肯定応答８２４を受信する。
【００８５】
ＳＳ１が全てのＰＤＵをＳＤＵ２から受信すると、当該ＳＳ１はメッセージ８２５でＳＤＵ２を送信先のノード１４に送信する。
【００８６】
その後、主局は、メッセージ８４３でＰＤＵ３２（ＳＳ２に関連付けられたキューに存在している）をＳＳ２に送信し、対応する肯定応答８４４を受信する。
【００８７】
ＳＳ２が全てのＰＤＵをＳＤＵ３から受信すると、当該ＳＳ２はメッセージ８４５でＳＤＵ３を送信先ノード１４に送信する。
【００８８】
ＰＤＵは、図５および図６に関連して説明されている。容易に理解できるようにするために、図示されたブロックの各々がＰＤＵに対応すると見なす。実際、有利には、図示された各ブロックは、無線フレームに対応し、１つのＰＤＵ、または幾つかのＰＤＵもしくは幾つかのＳＤＵのセットを含む。無線フレームは、単位時間（例えば５ｍｓに相当する値）に対応することもできる。
【００８９】
図９は、主局１０と、従局１１および１２（それぞれＳＳ１、ＳＳ２と記される）と、ソースとされるノード１４との間の通信の例を図示している。
【００９０】
主局によるＳＳ１の選択９００の後に、当該主局は、ブロードキャストのメッセージ９０１を主局に関連付けられた全てのＳＳに送信し、特に、ＳＳ１およびＳＳ２に選択を通知することによって送信する。
【００９１】
その後、主局はＳＳ２を選択し、主局に関連付けられた全てのＳＳ、特に、ＳＳ１およびＳＳ２に専用メッセージ９３１を送信する。
【００９２】
その後、ノード１４は、主局にアドレスされたＳＤＵ（ＳＤＵ４と記される）を含む、メッセージ９１０を送信する。このメッセージは、スイッチ１６によってＳＳ１に中継され、当該スイッチは主局への中継ポイントと見なされる。
【００９３】
ＳＳ１は、メッセージ９１０を受信し、このメッセージをＰＤＵに分配する。各ＰＤＵは、その後、専用メッセージ９１１で主局に送信され、メッセージ９１１のそれぞれは主局により肯定応答される。メッセージ９１１が肯定応答されない場合、当該メッセージ９１１が再送信される。
【００９４】
その後、ノード１４は、ブロードキャストタイプのＳＤＵ（ＳＤＵ５と記される）を含むメッセージ９２０を送信する。このメッセージは、スイッチ１６によって２つの局ＳＳ１とＳＳ２に中継される。
【００９５】
ＳＳ１およびＳＳ２がメッセージ９２０を受信する。選択された局ＳＳ１のみが、このメッセージを複数のＰＤＵに分配する。各ＰＤＵは、その後、ＳＳ１によって専用メッセージ９２１で主局に送信される。上記の実施形態によると、ブロードキャストメッセージからのＰＤＵは肯定応答されない。別の実施形態によると、そのメッセージは、ワイヤレスリンク上の主局によって肯定応答され、１つまたは複数のＰＤＵを送信したＳＳによって当該肯定応答が受信されない場合、このメッセージは再送信される。ＳＳ２は、ＳＤＵ５を送信せずに当該ＳＤＵ５を捨てる。
【００９６】
その後、主局は、ＳＳ２を選択し、当該主局に関連付けられた全てのＳＳ、特に局ＳＳ１およびＳＳ２にブロードキャストの専用メッセージ９３１を送信する。
【００９７】
次に、ノード１４は、ブロードキャストタイプのＳＤＵ（ＳＤＵ６と記される）を含むメッセージ９４０を送信する。このメッセージは、スイッチ１６によって２つの局ＳＳ１およびＳＳ２に中継される。
【００９８】
ＳＳ１およびＳＳ２がメッセージ９４０を受信する。選択された局ＳＳ２のみが、このメッセージを複数のＰＤＵに分配する。各ＰＤＵは、その後、ＳＳ２によって専用メッセージ９４１で主局に送信される。ＳＳ１は、ＳＤＵ６を送信せずにＳＤＵ６を捨てる。
【００９９】
その後、ノード１４は、主局にアドレスされたＳＤＵ（ＳＤＵ７と記される）を含むメッセージ９５０を送信する。このメッセージは、スイッチ１６によってＳＳ１に中継され、当該スイッチはまだ主局への中継ポイントと見なす。
【０１００】
ＳＳ１は、メッセージ９５０を受信し、このメッセージをＰＤＵに分配する。各ＰＤＵは、その後、専用メッセージ９５１で主局に送信され、メッセージ９５１のそれぞれは主局により肯定応答される。
【０１０１】
その後、ノード１４は、主局にアドレスされたＳＤＵ（ＳＤＵ８と記される）を含むメッセージ９６０を送信する。このメッセージは、スイッチ１６によってＳＳ２に中継され、当該スイッチは、これ以降は主局への中継ポイントと見なす。
【０１０２】
ＳＳ２は、メッセージ９６０を受信し、このメッセージをＰＤＵに分ける。各ＰＤＵは、その後、専用メッセージ９６１で主局に送信され、メッセージ９６１のそれぞれは主局によって肯定応答される。
【０１０３】
当然のことながら、本発明は上記実施形態に限定されない。
【０１０４】
特に、移動局および主局のアーキテクチャは、要素の各機能および／または形状（特に、電子要素の機能を、限られた数の要素にグループ化することができ、または、複数の要素に拡張することができる）、ならびにこれら要素の配置において、図２および図３に図示されたもの異なるものとすることができる。
【０１０５】
本発明は、図１に関連して説明されたアーキテクチャに限定されず、１つまたは複数のＳＳを有し、ローカルの範囲（例えば、数十メートル）またはリモートの範囲（例えば、特にＩＥＥＥ８０２．１６規格に従って数キロメートル）でワイヤレスネットワークを含んでいる、任意のアーキテクチャを含む。上記１つまたは複数のＳＳの各ＳＳは、少なくとも１つのＢＳに常に接続されている。ある別の実施形態によると、ＳＳ間のリンク、および／またはＳＳとソースノードとの間のリンクは、ワイヤレスリンク（ローカルまたはリモートリンク）である。
【０１０６】
本発明を、上述の通信プロトコルとは異なる通信プロトコルに適用することもできる。したがって、アプリケーションおよび／または制御データは、任意のプロトコル（例えば、競合アクセスを伴うプロトコル、またはポーリングを有するスケジュール化されたモードにおけるプロトコル）に基づいて、ワイヤレスリンクに送信される。ＳＳとＢＳとの間の通信チャネルは、上り方向と下り方向について、同一の周波数チャネル（「半二重（half duplex）」として知られるモード）を使用することも、異なる周波数チャネル（「全二重（full duplex）」として知られるモード）を使用することもできる。ソースをＳＳに接続するネットワークまたはリンクは、ありふれたものであってもよく、Ｅｔｈｅｒｎｅｔ（登録商標）ネットワークに限定されない。これは、例えば、有線または無線の標準化されたプロトコルまたは独自のプロトコルによって、ソースから各ＳＳへのデータ送信が可能であることを意味する。
【０１０７】
さらに、ソースにより加入者局に送信されるパケット（ＳＤＵ）は、ＭＡＣレベルの小さなパケット（ＰＤＵ）に分けられると有利であるが、これは必ずしも必要ではない。本発明の複数の実施形態にかかるＳＤＵとＰＤＵとの間の境界は、同じことも、同じでないこともあり、ＳＤＵは、１つまたは複数のＰＤＵを含むことができる。
【０１０８】
主局のアーキテクチャも上述の例に限定されない。特に、異なる諸実施形態によると、主局のアプリケーション部分（例えば、データ処理ユニット（特に、音声および／またはイメージ）、カメラ制御ユニットなど）を、従局を有するワイヤレスリンク上の無線通信管理部分を備えた装置に一体化することができ、あるいは反対に、この装置とは完全に別々にし、または部分的に別々にすることもできる。特定の実施形態によると、主局のアプリケーション部分は、ＳＳとの通信部分とは別個の装置にある。この場合、例えば、ＭＳは、Ｅｔｈｅｒｎｅｔ（登録商標）（あるいは、標準プロトコルまたは独自のプロトコル）に従う、別の有線または無線のリンク）上で、デジタルレコーダ、スクリーン、またはコンピュータに送信されたビデオフローを受信する。
【０１０９】
同様に、従局のアーキテクチャも上述の例に限定されない。特に、異なる諸実施形態によると、データソース（例えば、データ処理ユニット（特に、音声および／またはイメージ）、１つの主局または複数の主局に関連付けられたアプリケーション制御ユニットなど）を、主局を有するワイヤレスリンク上の無線通信管理部分を備えた装置に一体化することができ、あるいは反対に、この装置から完全に別々にし、または部分的に別々にすることもできる。
【０１１０】
本発明の別の実施形態によると、ＳＳは、ＭＳと通信するＳＳサブセットから一時的に取り除かれ（例えば、無線リンクが弱く、有線リンクが維持されている場合）、当該ＭＳは、リアソシエーション（re-association）操作の後に再び導入される（例えば、リンクが十分なものとなったとき）。
【０１１１】
結合プロセスを速めることを目的とする本発明の実施形態によると、主局は、当該主局が通信することができる従局（および、有利には選択された局）を用いて、無線リンクの特性（例えば、周波数）の少なくとも一部を含む情報を、全ての従局に送信する。この情報を受信する従局は、有線ネットワークまたは別のリンクを介して、この情報を別の従局に送信する。
【０１１２】
別の実施形態によると、選択された局は、その選択を知らせる選択メッセージを受信すると、従局に、その選択を表す情報のアイテムを送信する。これにより、全ての従局、特に最後に選択された局が、新しく選択された局を知ることができるようになる。
【０１１３】
別の実施形態によると、選択された局は、その選択を知らせる選択メッセージを受信すると、スイッチに、その選択を表す情報のアイテムを送信する。これにより、スイッチが、新たに選択された局にＳＤＵをより迅速にルーティングすることができるようになる。
【０１１４】
本発明の一部の実施形態によると、主局と従局との間の通信は、同一のチャネル（例えば、同一の周波数を有するチャネル）において行われる。別の実施形態によると、これらの通信は、別個のチャネル（例えば、異なる周波数の別個のチャネル）を使用する。さらに別の実施形態によると、主局と従局との間の通信は、例えば別個の周波数を有する幾つかの物理チャネルにおいて行われ、当該物理チャネルを用いると、市販される構成要素を使用することによって大きなビットレートを得ることができる。この場合、主局は、異なるチャネルを、従属した形態または独立した形態で管理することができ、別の実施形態によると、主局は、全てのチャネルについて１つの従局を選択するか、または各チャネルについて１つの従局を選択して、２つの別個の従局を選択することができる（例えば、各チャネルについて、ネットワーク１について上述した手法と同様の手法で、各従局の容量および各従局の通信品質を補償するためである）。
【図１】
0005292082.tif 000002
【図２】
0005292082.tif 000003
【図３】
0005292082.tif 000004
【図４】
0005292082.tif 000005
【図５】
0005292082.tif 000006
【図６】
0005292082.tif 000007
【図７】
0005292082.tif 000008
【図８】
0005292082.tif 000009
【図９】
0005292082.tif 000010